(57)【要約】【課題】剛性と光学性能を劣化させることなく、複数の分岐光路を選択できる倒立顕微鏡を提供する。【解決手段】ダイクロイックミラー１３５とダイクロイックミラー１１２とプリズム２０２は、光軸Ｏに沿って延びる主光路に対して分岐光路を作り出すための光路切換素子であり、対物レンズ１０４と結像レンズ１２５の間において光軸Ｏ上に挿脱される。ダイクロイックミラー１３５とダイクロイックミラー１１２とプリズム２０２によって作り出された分岐光路は、標本１０３の位置を光軸Ｏに沿って変更することを必要とせずに主光路に導入される。ダイクロイックミラー１３５とプリズム２０２によって作り出された分岐光路は顕微鏡本体１０１の内部を通っている。ダイクロイックミラー１３５とプリズム２０２は顕微鏡本体側面に設けられた開口部を通して顕微鏡本体１０１に着脱される。【選択図】      図１
2006091723.tif 000002
【特許請求の範囲】
【請求項１】
倒立顕微鏡において、標本から検鏡者までの光路を分岐している分岐光路が顕微鏡垂直方向に二つ以上導入でき、各々の分岐光路は光軸方向の標本位置を変更させることなく導入でき、少なくとも一つの分岐光路が鏡体内部を通っており、光路を分岐させるための光路切換素子が切換できるとともに顕微鏡本体の側面から着脱できる、倒立顕微鏡。
【請求項２】
倒立顕微鏡において、標本から検鏡者までの光路で顕微鏡垂直方向に二つ以上導入される分岐光路と、分岐光路を分岐させるための光路切換素子を着脱保持するための保持部材と、光路切換素子を光軸上に選択的に挿入するための切換機構と、光路切換素子を顕微鏡外部から着脱するため顕微鏡本体の側面に設けられる開口部を備えている、請求項１に記載の倒立顕微鏡。
【請求項３】
倒立顕微鏡において、瞳変調または像変調の機能を有するユニットを顕微鏡本体の側面から着脱できる、倒立顕微鏡。
【請求項４】
顕微鏡本体と、対物レンズと、接眼レンズと、対物レンズと接眼レンズとを通る光軸に沿って延びる主光路に対して複数の分岐光路をそれぞれ作り出すための複数の光路切換素子とを備えており、分岐光路はそれぞれ対応する光路切換素子によって標本の位置を光軸に沿って変更することを必要とせずに主光路に導入され、少なくとも一つの分岐光路は顕微鏡本体を通っており、光路切換素子は光軸に対して挿脱可能であるとともに顕微鏡本体に側面から着脱可能である、倒立顕微鏡。
【請求項５】
請求項４において、光路切換素子を保持するための保持部材と、光路切換素子を光軸上に挿脱するための切換機構とをさらに備え、顕微鏡本体の側面には開口部が設けられていて、この開口部を通して光路切換素子が顕微鏡本体に着脱される、倒立顕微鏡。
【請求項６】
請求項４において、対物レンズと共働して標本の光学像を形成するための結像レンズを備えており、対物レンズと結像レンズの間の主光路は平行光路となっており、少なくとも一つの光路切換素子は対物レンズと結像レンズの間において光軸上に挿脱される、倒立顕微鏡。
【発明の詳細な説明】
【技術分野】
【０００１】
本発明は、ステージ上に配置された標本を下方から対物レンズを介して観察する倒立顕微鏡に関する。
【背景技術】
【０００２】
特開平１１−２２３７７３号公報は、図８に示す通り、複数の落射照明光路を有する倒立顕微鏡を開示している。第１の落射照明系光路のＣａｇｅｄ試薬解除用のレーザー光源１のレーザー光をキューブＣＶ１のダイクロイックミラーＤＭ１を介して標本５側に導入し、スライダーＳＶ’を操作してミラーを光軸上から退避させて、第３の落射照明光学系光路の励起光照射用の水銀ランプ２の励起光をキューブＣＶ２のダイクロイックミラーＤＭ２を介して標本１側に導入することによりＣａｇｅｄ試薬解除実験を行なう。また、第２の落射照明光学系光路の励起光照射用の水銀ランプ３の励起光をターレット６を回転させキューブＣＶ１’のダイクロイックミラーＤＭ１’を介して標本５に導入し、スライダーＳＶ’を操作して光軸上にミラーを配置し第３の落射照明光学系光路のレーザートラップ用のレーザー光源４からのレーザー光をスライダー７を移動させキューブＣＶ２’のダイクロイックミラーＤＭ２’を介して標本５側に導入することによりレーザートラップ実験を行なう。この構成によりＣａｇｅｄ解除と蛍光観察によるＣａｇｅｄ試薬解除実験や蛍光観察とレーザートラップによる微小観察および測定などを選択的に行なうことができる。
【０００３】
特開平１１−２２３７７３号公報は、図９に示す通り、ステージをスペーサーによってかさ上げして光学系を新たに追加できる倒立顕微鏡を開示している。この倒立顕微鏡は、顕微鏡架台１１と、標本１２を載置するステージ１３と、顕微鏡架台１１から延在してステージ１３を支持するステージ支持部材１４と１５とを備えており、スペーサー部材１６と１７をステージ１３とステージ支持部材１４と１５との間に挿入してできた空間に新たに光学系を配置して使用できる。この構成により倒立顕微鏡において新たな光学系による観察が可能となり、倒立顕微鏡の利用範囲が広がる。
【０００４】
特開平８−２７１７９７号公報は、標本から検鏡者までの光路を分岐する分岐光路を持ち、分岐光路を形成する光路切換部材を顕微鏡側面から着脱できる倒立顕微鏡を開示している。光路切換部材は人間工学的に最適な位置に組み込まれ、これにより人間工学的に良好な操作が可能となる。
【特許文献１】特開平１１−２２３７７３号公報
【特許文献２】特開平１１−７２７１５号公報
【特許文献３】特開平８−２７１７９７号公報
【発明の開示】
【発明が解決しようとする課題】
【０００５】
特開平１１−２２３７７３号公報は光学系を概念的に述べているにとどまっており、光路切換素子の着脱は意図しているが、そのための具体的な構成について教示も示唆もしていない。例えば検鏡者が観察法を変えたいときに、顕微鏡から光路切換素子をどのように着脱するのかの記載がない。このため、実際に顕微鏡本体をどのように構成するか不明である。
【０００６】
特開平１１−２２３７７３号公報はステージをスペーサーでかさ上げしているので、光学系を追加する前に比べて顕微鏡の剛性が劣化するとともに装置の巨大化を招いている。また光学系を追加する前に比べて光軸方向のピント位置が大幅に異なるため、最適な光学性能が発揮できず観察視野の陰りが発生する。これは対物レンズから検鏡者までの光路長が光路追加前と光路追加後とで異なるため、どちらにも最適な光学系を設計することが困難だからである。
【０００７】
特開平８−２７１７９７号公報は分岐光路が一つしかなく、検鏡者の種々の観察や実験に対応できない。
【課題を解決するための手段】
【０００８】
本発明は、剛性と光学性能を劣化させることなく、複数の分岐光路を選択できる倒立顕微鏡に向けられている。本発明の倒立顕微鏡は、標本から検鏡者までの光路を分岐している分岐光路が顕微鏡垂直方向に少なくとも二つ以上導入でき、各々の分岐光路は光軸方向の標本位置を変更させることなく導入でき、少なくとも一つ以上の分岐光路が鏡体内部を通っており、光路を分岐させるための光路切換素子が切換できるとともに顕微鏡本体の側面から着脱できる。
【発明の効果】
【０００９】
本発明の倒立顕微鏡によれば、剛性と光学性能を劣化させることなく、複数の分岐光路を必要に応じて適当に選択して使用することができる。つまり、汎用性の高い倒立顕微鏡が提供される。
【発明を実施するための最良の形態】
【００１０】
［第一実施形態］
以下、第一実施形態について図１と図２を参照して説明する。図１は、本発明の第一実施形態における顕微鏡を概略的に示している。図２は、図１の顕微鏡の側面を拡大して示す斜視図である。
【００１１】
図１において、倒立顕微鏡１００は、顕微鏡本体１０１と、標本１０３が載置されるステージ１０２とを備えている。ステージ１０２は顕微鏡本体１０１に固定されており、ステージ１０２の上に標本１０３が載置されている。ステージ１０２の下方には回転可能なレボルバー１０５が配置されている。レボルバー１０５は、複数の対物レンズを保持可能であり、例えば三つの対物レンズ１０４と１０４’と１０４”を保持している。レボルバー１０５を回転させることにより、対物レンズ１０４と１０４’と１０４”のいずれか一つ（図では対物レンズ１０４）が選択的に光軸Ｏ上に配置されるようになっている。
【００１２】
レボルバー保持台１０６はレボルバー１０５を固定しており、このレボルバー保持台１０６は顕微鏡本体１０１の内部の図示されないラックアンドピニオン機構により回転焦準部１０７に接続され、回転焦準部１０７の回転運動がレボルバー保持台１０６の光軸Ｏ方向への直線運動に変換される。回転焦準部１０７は同軸上に粗動ハンドル１０７ａと微動ハンドル１０７ｂを備えており、検鏡者の意図した標本１０３のピント合わせを可能にしている。
【００１３】
ランプハウス１３２は光源１３３を内蔵している。投光管１３１はランプハウス１３２を保持しており、顕微鏡本体１０１に着脱可能に固定されている。光源１３３を出た光線は投光管１３１を通って顕微鏡本体１０１内部に配置されたミラースライダー１３４内の励起フィルター１３４ｅを通り光軸Ｏに交わる。その後、ミラースライダー１３４に着脱可能に固定されたダイクロイックミラー１３５によって反射され、標本１０３に照射される。標本１０３を出た光の一部は対物レンズ１０４を通って平行光束となり、吸収フィルター１３４ｆと結像レンズ１２５を通ったのち、ミラー１２６で反射され、顕微鏡本体１０１内のリレーレンズ群１２７を通り、鏡筒１２９内に配置されたプリズム１２８を通って接眼レンズ１３０で観察される。励起フィルター１３４ｅと吸収フィルター１３４ｆは図示されないネジによりミラースライダー１３４に着脱可能となっている。
【００１４】
また投光管１１０は顕微鏡本体１０１に着脱可能に固定されている。レーザー発振器１０８はファイバー１０９を介して投光管１１０に接続されている。レーザー発振器１０８を出たレーザー光はファイバー１０９を介して投光管１１０を通ってレボルバー１０５の下に配置されたミラーユニット１１１内で光軸Ｏに交わる。その後、ミラーユニット１１１に着脱可能に固定されたダイクロイックミラー１１２によって照射され、標本１０３に照射される。ダイクロイックミラー１１２はミラーユニット１１１内で回転可能となっており、光軸Ｏ上に挿脱可能となっている。なお、ダイクロイックミラー１１２は、ダイクロイックミラー１３５で反射される励起光とダイクロイックミラー１３５を透過するすべての蛍光とを透過する特性を有している。
【００１５】
さらに倒立顕微鏡１００は、透過照明支柱１３６とランプハウス１３７とコンデンサー１３８とを備えている。ランプハウス１３７から出た光線は透過照明支柱１３６内の図示されないミラーにより進行方向を９０度変え、コンデンサー１３８を通り標本１０３に照射される。先ほどと同様に標本１０３を出た光の一部は対物レンズ１０４を通って平行光束となり、結像レンズ１２５を通る。その後、ミラー１２６で反射され、鏡体内のリレーレンズ群１２７を通り鏡筒１２９内に配置されたプリズム１２８を通って接眼レンズ１３０で観察される。
【００１６】
図２において、顕微鏡本体１０１には、図示されないビスによりミラーユニット１１１を着脱固定するためのアリ１０１ａと、光軸Ｏが通る穴１０１ｂとが設けられている。顕微鏡本体１０１にはまた、ミラースライダー１３４を着脱固定するためのアリ１０１ｃと、カバー２０１の穴２０１ｂを通してネジ２０６で着脱固定するためのタップ１０１ｄとが設けられている。ミラースライダー１３４には対物レンズ１０４を通る光線を透過する穴１３４ａと１３４ａ’が設けられている。ミラースライダー１３４は、ダイクロイックミラー１３５の着脱のために、分離可能なスライダー１３４ｂとスライダー１３４ｃとから構成されている。スライダー１３４ｂとスライダー１３４ｃは図示されないビスにより固定されている。スライダー１３４ｃにはクリック溝１３４ｄと１３４ｄ’が設けられており、ダイクロイックミラー１３５を光軸Ｏに対して適切に挿脱することができる。穴１３４ａ’とクリック溝１３４ｄ’の側にはミラーやプリズムなどの光学素子は設けられていない。ツマミ１３９の先端はネジであり、スライダー１３４ｃに設けられたネジ部にツマミ１３９が着脱可能である。ミラースライダー１３４を顕微鏡本体１０１に装着する場合は、ツマミ１３９をいったん外し、カバー２０１をネジ２０６で固定したのち、ツマミ１３９を再び固定する。ミラースライダー１３４を取り外す場合は逆の作業を行なう。そして検鏡者はダイクロイックミラー１３５の切り換え時にツマミ１３９を操作する。
【００１７】
顕微鏡本体１０１は、対物レンズ１０４からの光をプリズム２０２を介して穴２０５を通して図１において紙面手前方向に射出することができる。そのため顕微鏡本体１０１には、プリズムスライダー２０７を着脱固定するためのアリ２０９と、ビス２１０を円筒部２０３の穴２０８に通して固定するためのタップ２１１が設けられている。円筒部２０３はＣＣＤなどのカメラを固定でき、カメラ固定用のビス２０４が具備されている。プリズムスライダー２０７にはプリズム２０２が載置されており、対物レンズ１０４を通る光線を透過する穴２０７ａが設けられている。またプリズムスライダー２０７は溝２０７ｂと２０７ｂ’が設けられており、顕微鏡本体１０１に設けられた図示されない穴を通して外部に配置されたツマミ２１２を操作することにより、プリズム２０２を光軸Ｏ上から挿脱することができる。プリズムスライダー２０７には、顕微鏡本体１０１からの着脱が容易になるように、タップ２１３が設けられている。またツマミ２１２の先端のネジと、プリズムスライダー２０７に設けられた図示されないネジ部は着脱可能である。プリズムスライダー２０７を顕微鏡本体１０１に装着する場合は、ツマミ２１２をいったん外して、タップ２１３に固定し、ツマミ２１２を操作することにより、顕微鏡本体１０１に図１中の紙面手前方向から挿入する。そしてツマミ２１２を外したのち、円筒部２０３をビス２１０で固定して、ツマミ２１２を図１中の紙面奥方向から再び固定する。プリズムスライダー２０７を取り外す場合は以上と逆の作業を行なう。そして検鏡者は前述の通りプリズム２０２の光軸Ｏからの挿脱にツマミ２１２を使用する。つまり検鏡者は円筒部２０３を顕微鏡本体１０１から外すことによりプリズム２０２と別の光学素子を組み付けることが可能となる。
【００１８】
これまでの説明から分かるように、本実施形態の倒立顕微鏡１００において、ダイクロイックミラー１３５とダイクロイックミラー１１２とプリズム２０２は、それぞれ、対物レンズ１０４と接眼レンズ１３０とを通る光軸Ｏに沿って延びる主光路に対して分岐光路を作り出すための光路切換素子を構成している。結像レンズ１２５は対物レンズ１０４と共働して標本１０３の光学像を形成するための光学素子であり、対物レンズ１０４と結像レンズ１２５の間の主光路は平行光路となっている。ダイクロイックミラー１３５とダイクロイックミラー１１２は、それぞれ、対物レンズ１０４と結像レンズ１２５の間において光軸Ｏ上に挿脱される。また、プリズム２０２は、結像レンズ１２５とミラー１２６の間において光軸Ｏ上に挿脱される。ダイクロイックミラー１３５とダイクロイックミラー１１２とプリズム２０２によって作り出された分岐光路は、それぞれ、標本１０３の位置を光軸Ｏに沿って変更することを必要とせずに主光路に導入される。ダイクロイックミラー１３５とプリズム２０２によって作り出された分岐光路は、顕微鏡本体１０１の内部を通っている。
【００１９】
ミラースライダー１３４はダイクロイックミラー１３５を保持するための保持部材として機能し、プリズムスライダー２０７はプリズム２０２を保持するための保持部材として機能する。アリ１０１ｃはダイクロイックミラー１３５を光軸Ｏ上に挿脱するための切換機構として機能し、アリ２０９はプリズム２０２を光軸Ｏ上に挿脱するための切換機構として機能する。ミラースライダー１３４（すなわちダイクロイックミラー１３５）とプリズムスライダー２０７（すなわちプリズム２０２）は、それぞれ、顕微鏡本体１０１の側面に設けられた開口部を通して、顕微鏡本体１０１に着脱される。
【００２０】
検鏡時はまず、ミラーユニット１１１を操作してダイクロイックミラー１１２を光軸Ｏ上から退避させ、プリズム２０２を光軸上から退避させて、接眼レンズ１３０に標本１０３の観察像が投影されるようにする。光源１３３を出た光線は、ツマミ１３９を操作してダイクロイックミラー１３５を光軸Ｏ上へ挿入することにより、ダイクロイックミラー１３５で反射され、対物レンズ１０４を通り、標本１０３に照射される。このとき、ミラースライダー１３４はクリック溝１３４ｄと顕微鏡本体１０１の図示されないクリック機構とにより固定される。そして標本１０３上で励起された蛍光は対物レンズ１０４とミラー１２６とリレーレンズ群１２７とプリズム１２８を通して接眼レンズ１３０で観察される。このとき、標本１０３が検鏡者の所望のピント位置にない場合は、回転焦準部１０７の粗動ハンドル１０７ａと微動ハンドル１０７ｂとを操作してピント合わせを行なう。一方、光マニュピレーションを行なう際には、ミラーユニット１１１を操作してダイクロイックミラー１１２を光軸Ｏ上に入れる。レーザー発振器１０８から射出されたレーザー光は、ファイバー１０９と投光管１１０を通ったのち、ダイクロイックミラー１１２によって反射され、対物レンズ１０４を介して標本１０３に照射される。なお、ダイクロイックミラー１１２は、前述したように光源１３３からの励起光と励起光照射により発生した蛍光とを透過する特性を有しているため、観察に全く支障を与えない。
【００２１】
逆に光源１３３からの光を全く用いずにレーザー発振器１０８からのレーザー光のみで観察を行なう場合は、ツマミ１３９を操作してダイクロイックミラー１３５を光軸Ｏから退避させる。このとき、ミラースライダー１３４はクリック溝１３４ｄ’と顕微鏡本体１０１の図示されないクリック機構とにより固定される。最初からミラースライダー１３４の分岐光路を使わないのであれば、ミラースライダー１３４を顕微鏡本体１０１から取り外してしまってもよい。ミラーユニット１１１にはダイクロイックミラー１１２だけでなく励起フィルターと吸収フィルターとが着脱可能であり、ミラーユニット１１１は光軸Ｏに挿脱可能であるので蛍光観察が可能となる。この場合には、ミラーユニット１１１を顕微鏡本体１０１からいったん外し、励起フィルターと吸収フィルターを取り付けたのちに、顕微鏡本体１０１に再び装着する。当然ながら二つの分岐光路の光源はレーザー発振器とランプハウスとの一つずつである必要は全くなく、照明装置とその組合せは検鏡者の自由である。二つのランプハウスを使用する場合は、投光管を図１において紙面鉛直方向に曲げた構成として、二つのランプハウスが互いに干渉しないようにするとよい。
【００２２】
またダイクロイックミラー１１２とダイクロイックミラー１３５の両方を光軸Ｏから退避させてランプハウス１３７の電源を入れることにより透過照明観察が可能となる。
【００２３】
上述したいずれの検鏡法においても、ツマミ２１２を操作してプリズム２０２を光軸Ｏ上に配置することにより、円筒部２０３に固定されたカメラで標本１０３の観察像を撮影することが可能となる。このとき、プリズムスライダー２０７は溝２０７ｂと顕微鏡本体１０１の図示されないクリック機構とにより固定される。逆に円筒部２０３に固定されたカメラで観察を行なわない場合は、ツマミ２１２を操作してプリズム２０２を光軸Ｏ上から退避させる。このとき、プリズムスライダー２０７は溝２０７ｂ’と顕微鏡本体１０１の図示されないクリック機構により固定され、光軸Ｏ上に穴２０７ａが配置される。プリズムスライダー２０７を顕微鏡本体１０１から取り外す場合は、ツマミ２１２をいったん外し、プリズムスライダー２０７のタップ２１３に固定して顕微鏡本体１０１から引き出す。この構造によって着脱性の向上が図られている。プリズムスライダー２０７のプリズム２０２の透過率を変えることにより、接眼レンズ１３０とカメラとの同時観察、カメラのみの観察などを選択することができる。
【００２４】
以上に説明した本実施形態によれば、対物レンズから接眼レンズまでの光路に対して一つの分岐光路を使用する場合でも複数の分岐光路を使用する場合でも、ステージの高さや結像レンズから対物レンズまでの距離が全く変わらないので、顕微鏡本体の剛性と光学性能を劣化させることがない。さらに顕微鏡本体に側面から光路切換素子を着脱できるので、汎用性が高い顕微鏡を検鏡者に提供できる。つまり、倒立顕微鏡の剛性と光学性能を劣化させることなく、検鏡者が目的に応じた複数の分岐光路を選択できる倒立顕微鏡を提供することが可能となる。
【００２５】
［第一実施形態の変形例］
次に、本実施形態の変形例について図３と図４と図５を参照して説明する。図３は、本発明の第一実施形態の変形例における倒立顕微鏡を概略的に示している。図４は、図３に示された倒立顕微鏡の側面を拡大して示す斜視図である。図５は、図４に示されたマウント部の詳細を示す斜視図である。本変形例において顕微鏡本体１０１とステージ１０２と標本１０３などは第一実施形態と同様であるので、それらの説明は省略する。
【００２６】
本変形例の倒立顕微鏡１００’では、図３に示されるように、投光管１１０にランプハウス１３２が取り付けられている。また図４に示されるように、アリ１０１ｃには、ミラースライダー１３４に代えて、ミラースライダー３０１が着脱される。ミラースライダー３０１はミラー３０２が着脱可能に設けられている。ミラースライダー３０１を操作するためのツマミ３０３は第一実施形態と左右反対側に設けられており、顕微鏡本体１０１に新たに設けられた図示しない穴を通して外部に配置される。ミラースライダー３０１を顕微鏡本体１０１に装着する場合は、ツマミ３０３をいったん外してタップ３０１ａに固定したのち、ツマミ３０３を操作してミラースライダー３０１を顕微鏡本体１０１に組み込む。その後、ツマミ３０３をミラースライダー３０１から外したのち、顕微鏡本体１０１の図示されない穴から通してミラースライダー３０１に再び固定する。カバー３０４はネジ３０５ａによりマウント部３０５を回転移動可能でさらに軸方向移動可能に固定できる。またカバー３０４には、図５に示されるように、結像レンズ３０６がネジ３０７により着脱可能に固定されている。
【００２７】
本変形例では、ミラー３０２が主光路に対して分岐光路を作り出すための光路切換素子を構成し、ミラースライダー３０１がミラー３０２を保持するための保持部材として機能し、アリ１０１ａがミラー３０２を光軸Ｏ上に挿脱するための切換機構として機能する。ミラースライダー３０１は顕微鏡本体側面に設けられた開口部を通して顕微鏡本体１０１に着脱され、ミラー３０２は対物レンズ１０４と結像レンズ１２５の間において光軸Ｏ上に挿脱される。ミラー３０２によって作り出された分岐光路は標本１０３の位置を光軸Ｏに沿って変更することを必要とせずに主光路に導入される。
【００２８】
写真撮影を行なう場合は、マウント部３０５にカメラとカバー３０４を取り付けたのちに顕微鏡本体１０１に取り付ける。その後、ミラーユニット１１１を操作してダイクロイックミラー１１２を光軸Ｏ上に配置して光源１３３からの照明光により接眼レンズ１３０で観察を行なう。そしてツマミ３０３を操作し光軸Ｏ上にミラー３０２を配置する。カメラの回転方向と合焦方向の調整は、ネジ３０５ａをいったん緩めたのち、マウント部３０５とカメラを移動させ、ネジ３０５ａを用いて所望の位置に固定する。また接眼レンズ１３０による観察または円筒部２０３に取り付けたカメラによる観察を行なう場合は、ツマミ３０３を操作して光軸Ｏ上からミラー３０２を退避させる。
【００２９】
レーザー共焦点画像を取得したい場合は、カバー３０４に固定されたマウント部３０５を外し、さらに結像レンズ３０６をネジ３０７を回して外し、マウント部３０５にレーザー共焦点装置を再び組み付け、カバー３０４に取り付ける。そして先ほどと同様にツマミ３０３を操作して観察を行なう。なお、最初からマウント部にカメラなどの周辺ユニットを取り付けないのであれば、ミラースライダー３０１とツマミ３０３を顕微鏡本体１０１から取り除いてしまってもよい。
【００３０】
このような第一実施形態の変形例においても、一つの分岐光路を使用する場合または複数の分岐光路を使用する場合に、ステージの高さや結像レンズから対物レンズまでの距離が全く変わらないので、顕微鏡本体の剛性と光学性能を劣化させることがない。さらにミラースライダーのミラーをダイクロイックミラーにすれば、複数のカメラを用いたレシオイメージングなどを行なうことが可能となり、汎用性の高い顕微鏡を検鏡者に提供することが可能となる。
【００３１】
また本発明は先にあげた実施形態にとどまらず、顕微鏡を改造せずに分岐光路を作り出せる光路切換素子が顕微鏡本体に側面からできればよく、例えばミラースライダーを電動にして実験スループットを向上させてもよいし、ミラースライダーの分岐光路とプリズムと円筒部で構成される分岐光路を倒立顕微鏡の左右に互い違いに配置して大きな周辺ユニットが組み付けられるようにしてもよい。さらに顕微鏡本体の背面にプリズムスライダーの高さにマウントを設け、対物レンズからの光が射出するようにプリズムの反射面を変更すれば、顕微鏡背面にもう一つ分岐光路を構成することが可能となる。また検鏡者の要求に応じて、ミラースライダーに代えて、瞳変調の機能を有する光学素子を備えた瞳変調ユニットまたは像変調の機能を有する光学素子を備えた像変調ユニットを設けることも可能である。
【００３２】
［第二実施形態］
以下、本発明の第二実施形態について図６と図７を参照して説明する。図６は、本発明の第二実施形態における倒立顕微鏡を概略的に示している。図７は、図６に示された倒立顕微鏡の背面図である。本実施形態において、顕微鏡本体１０１とステージ１０２と標本１０３などは第一実施形態と同様であるので、それらの説明は省略する。
【００３３】
本実施形態の倒立顕微鏡１００”では、図７に示されるように、顕微鏡本体１０１の背面１０１ｅに、ミラースライダー４０１を着脱固定するためのアリ４０３が設けられている。ダイクロイックミラー４０２はミラースライダー４０１に着脱可能に固定されており、ミラースライダー４０１はアリ４０３を介して顕微鏡本体１０１に着脱できる。アリ４０３は顕微鏡本体１０１の背面１０１ｅから内部の奥まった位置に配置されており、投光管１３１の着脱に邪魔にならない構造となっている。ダイクロイックミラー４０２は、ミラースライダー４０１と顕微鏡本体１０１の図示されないクリック機構により、ツマミ４０６を操作することにより切り換え可能である。ダイクロイックミラー４０２が光軸Ｏ上にない場合は、図６に示されるように、対物レンズ１０４を通る光線を透過する穴４０１ａが光軸Ｏ上に配置されるようになっている。ツマミ４０６はリレーレンズ群１２７と干渉しない位置に配置されており、その先端がネジになっておりミラースライダー４０１に設けられた図示しないネジ部に着脱可能である。ミラースライダー４０１を顕微鏡本体１０１に組み付ける場合は、ツマミ４０６をいったん外し、タップ４０１ｂにツマミ４０６を固定して操作することにより、ミラースライダー４０１を顕微鏡本体１０１に組み付ける。その後、ツマミ４０６を外し、顕微鏡本体１０１の図示されない穴からツマミ４０６を挿入してミラースライダー４０１に固定する。また顕微鏡本体１０１にミラースライダー４０１を取り付けたのち、ゴミやホコリが入らないように、カバー４０４を固定する。カバー４０４は穴４０４ａにビス４０５通して顕微鏡本体１０１のネジ穴１０１ｆを用いて顕微鏡本体１０１に固定する。カバー４０４の中央の投光管１３１からの光が通る部分には穴４０４ｂが設けられ、穴４０４ｂは投光管１３１の先端を当接することで塞がれる。
【００３４】
本実施形態では、ダイクロイックミラー４０２が主光路に対して分岐光路を作り出すための光路切換素子を構成し、ミラースライダー４０１がダイクロイックミラー４０２を保持するための保持部材として機能し、アリ４０３がダイクロイックミラー４０２を光軸Ｏ上に挿脱するための切換機構として機能する。ミラースライダー４０１は顕微鏡本体１０１の側面の一つである背面に設けられた開口部を通して顕微鏡本体１０１に着脱され、ダイクロイックミラー４０２は対物レンズ１０４と結像レンズ１２５の間において光軸Ｏ上に挿脱される。ダイクロイックミラー４０２によって作り出された分岐光路は標本１０３の位置を光軸Ｏに沿って変更することを必要とせずに主光路に導入される。なお、本明細書において側面とは、装置正面に向かって、左右の面に限らず、前後の面も含むものとする。
【００３５】
検鏡時には、第一実施形態の場合と同様に、まずミラーユニット１１１を操作してダイクロイックミラー１１２を光軸Ｏ上から退避させ、プリズム２０２を切り換えて、ミラースライダー４０１をツマミ４０６を操作してダイクロイックミラー４０２を光軸Ｏ上に入れる。そして光源１３３を出た光線はダイクロイックミラー４０２で反射されて対物レンズ１０４を通り標本１０３に照射される。このとき、ミラースライダー４０１は図示されないクリック溝と顕微鏡本体１０１の図示されないクリック機構により固定される。検鏡者は照射された光源により接眼レンズ１３０で観察を行なうことができる。逆に光源１３３による観察を行なわない場合は、ツマミ４０６を操作して光軸Ｏ上からダイクロイックミラー４０２を退避させればよい。また第一実施形態と同様に、光マニュピレーションを行なう場合はダイクロイックミラー１１２を、写真撮影を行なう場合はプリズム２０２を光軸Ｏ上に入れればよい。最初からミラースライダー４０１の分岐光路を使わないのであれば、ミラースライダー４０１を顕微鏡本体１０１から取り除いてしまってもよい。
【００３６】
以上に説明した本実施形態によれば、一つの分岐光路を使用する場合でも複数の分岐光路を使用する場合でも、ステージの高さや結像レンズから対物レンズまでの距離が全く変わらないので顕微鏡本体の剛性と光学性能を劣化させることがない。さらに操作部を検鏡者側に配置したことにより実験スループットを向上することが可能となる。
【００３７】
なお本発明は先にあげた実施形態にとどまらず、顕微鏡を改造せずに分岐光路を作り出せる光路切換素子が顕微鏡本体に側面から着脱できればよく、光学素子を検鏡者側から着脱する構造にして光学素子の着脱性の向上を図ってもよい。
【図面の簡単な説明】
【００３８】
【図１】本発明の第一実施形態における顕微鏡を概略的に示している。
【図２】図１の顕微鏡の側面を拡大して示す斜視図である。
【図３】本発明の第一実施形態の変形例における倒立顕微鏡を概略的に示している。
【図４】図３に示された倒立顕微鏡の側面を拡大して示す斜視図である。
【図５】図４に示されたマウント部の詳細を示す斜視図である。
【図６】本発明の第二実施形態における倒立顕微鏡を概略的に示している。
【図７】図６に示された倒立顕微鏡の背面図である。
【図８】特開平１１−２２３７７３号公報に開示されている倒立顕微鏡を示している。
【図９】特開平１１−２２３７７３号公報に開示されている倒立顕微鏡を示している。
【符号の説明】
【００３９】
１００…倒立顕微鏡、１００’…倒立顕微鏡、１００”…倒立顕微鏡、１０１…顕微鏡本体、１０１ａ…アリ、１０１ｂ…穴、１０１ｃ…アリ、１０１ｄ…タップ、１０１ｅ…背面、１０１ｆ…ネジ穴、１０２…ステージ、１０３…意標本、１０３…標本、１０４…対物レンズ、１０４’…対物レンズ、１０４”…対物レンズ、１０５…レボルバー、１０６…レボルバー保持台、１０７…回転焦準部、１０７ａ…粗動ハンドル、１０７ｂ…微動ハンドル、１０８…レーザー発振器、１０９…ファイバー、１１０…投光管、１１１…ミラーユニット、１１２…ダイクロイックミラー、１２３ｅ…励起フィルター、１２５…結像レンズ、１２６…ミラー、１２７…リレーレンズ群、１２８…プリズム、１２９…鏡筒、１３０…接眼レンズ、１３１…投光管、１３２…ランプハウス、１３３…光源、１３４…ミラースライダー、１３４ａ…穴、１３４ａ’…穴、１３４ｂ…スライダー、１３４ｃ…スライダー、１３４ｄ…クリック溝、１３４ｄ’…クリック溝、１３４ｅ…励起フィルター、１３４ｆ…吸収フィルター、１３５…ダイクロイックミラー、１３６…透過照明支柱、１３７…ランプハウス、１３８…コンデンサー、１３９…ツマミ、２０１…カバー、２０１ｂ…穴、２０２…プリズム、２０３…円筒部、２０４…ビス、２０５…穴、２０６…ネジ、２０７…プリズムスライダー、２０７ａ…穴、２０７ｂ…溝、２０７ｂ’…溝、２０８…穴、２０９…アリ、２１０…ビス、２１１…タップ、２１２…ツマミ、２１３…タップ、３０１…ミラースライダー、３０１ａ…タップ、３０２…ミラー、３０３…ツマミ、３０４…カバー、３０５…マウント部、３０５ａ…ネジ、３０６…結像レンズ、３０７…ネジ、４０１…ミラースライダー、４０１ａ…穴、４０１ｂ…タップ、４０２…ダイクロイックミラー、４０３…アリ、４０４…カバー、４０４ａ…穴、４０５…ビス、４０６…ツマミ。
【図１】
2006091723.tif 000003
【図２】
2006091723.tif 000004
【図３】
2006091723.tif 000005
【図４】
2006091723.tif 000006
【図５】
2006091723.tif 000007
【図６】
2006091723.tif 000008
【図７】
2006091723.tif 000009
【図８】
2006091723.tif 000010
【図９】
2006091723.tif 000011